(57)【要約】  ＳＲＶＣＣに非対応状態にハンドオーバさせてしまうことによる移動端末機とＩＭＳネットワークとの間の状態不一致や呼切断などを防ぐハンドオーバ判定装置及びハンドオーバ制御装置を提供する。ネットワーク通信網（１０）とネットワーク通信網（２０）とで音声通話またはビデオ通話による通話が可能な移動端末機（３０）が、通話をネットワーク通信網（１０）からネットワーク通信網（２０）へのハンドオーバを要求するハンドオーバ要求（１３２）を受信するハンドオーバ要求受信部（２１０）と、移動端末機（３０）の呼の状態を検出する呼状態取得部（２２０）と、呼の状態が通話中状態以外の場合は、ハンドオーバ制御装置（１００）が移動端末機（３０）に対してハンドオーバを行わせないためのハンドオーバ拒否コマンド（２６２）をハンドオーバ制御装置（１００）に送信するコマンド送信部（２５０）と、を含む。
2014057691.tif 000002
【特許請求の範囲】
【請求項１】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定装置であって、
前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信部と、
前記ハンドオーバ要求受信部が前記ハンドオーバ要求または前記ハンドオーバ要求に基づく要求を受信した場合、前記移動端末機の呼の状態を取得する呼状態取得部と、
前記移動端末機が、前記呼の状態において前記ハンドオーバが可能な移動端末機であるか否かの情報を含む移動端末機情報を取得する移動端末機情報取得部と、
前記呼状態取得部が取得した前記呼の状態と前記移動端末機情報取得部が取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定部と、
前記ハンドオーバ判定部がハンドオーバ不可と判定した場合は、前記ハンドオーバ制御装置に前記ハンドオーバを実施させないためのハンドオーバ拒否コマンドを送信し、前記ハンドオーバ判定部がハンドオーバ可能と判定した場合は、前記ハンドオーバ制御装置に前記ハンドオーバを実施させるためのハンドオーバ応答コマンドを送信するコマンド送信部と、
を備えることを特徴とするハンドオーバ判定装置。
【請求項２】
前記コマンド送信部は、さらに、前記ハンドオーバ判定部がハンドオーバ不可と判定した場合は、前記ハンドオーバ制御装置に前記ハンドオーバ要求の送信を抑止させるためのハンドオーバ抑止コマンドを前記ハンドオーバ拒否コマンドに付加して送信し、前記ハンドオーバ抑止コマンドを前記ハンドオーバ制御装置に送信後、前記ハンドオーバ判定部がハンドオーバ可能と判定した場合、前記ハンドオーバ制御装置に前記ハンドオーバ要求の送信の抑止を解除させるためのハンドオーバ抑止解除コマンドを送信する、ことを特徴とする請求項１に記載のハンドオーバ判定装置。
【請求項３】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御装置であって、
前記第１のネットワーク通信網に在圏している前記移動端末機が送信する無線品質情報を受信する無線品質情報受信部と、
前記無線品質情報に基づき前記第１のネットワーク通信網での前記移動端末機の無線品質が劣化しているか否か判定する無線品質判定部と、
前記無線品質判定部が前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信部と、
前記ハンドオーバ要求送信部が送信した前記ハンドオーバ要求に対し前記ハンドオーバ判定装置から返信されてくるハンドオーバ応答コマンドを受信するコマンド受信部と、
前記コマンド受信部が前記ハンドオーバを実施させるための前記ハンドオーバ応答コマンドを受信した場合は前記移動端末機に前記ハンドオーバを実施させるハンドオーバ指示を送るハンドオーバ応答部と、
前記コマンド受信部が前記ハンドオーバを実施させないためのハンドオーバ拒否コマンドを受信した場合は前記移動端末機に前記ハンドオーバ指示を送信しないハンドオーバ拒否部と、
前記コマンド受信部が前記ハンドオーバ要求の送信を抑止させるためのハンドオーバ抑止コマンドを受信した場合は前記ハンドオーバ要求送信部を動作させず、前記コマンド受信部が前記ハンドオーバ要求の送信の抑止を解除させるためのハンドオーバ抑止解除コマンドを受信した場合は前記ハンドオーバ要求送信部を動作させるハンドオーバ要求送信制限部と、
を備えることを特徴とするハンドオーバ制御装置。
【請求項４】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定方法であって、
前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信工程と、
前記ハンドオーバ要求受信工程が前記ハンドオーバ要求または前記ハンドオーバ要求に基づく要求を受信した場合、前記移動端末機の呼の状態を取得する呼状態取得工程と、
前記移動端末機が、前記呼の状態において前記ハンドオーバが可能な移動端末機であるか否かの情報を含む移動端末機情報を取得する移動端末機情報取得工程と、
前記呼状態取得工程が取得した前記呼の状態と前記移動端末機情報取得工程が取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定工程と、
前記ハンドオーバ判定工程がハンドオーバ不可と判定した場合は、前記ハンドオーバ制御装置に前記ハンドオーバを実施させないためのハンドオーバ拒否コマンドを送信し、前記ハンドオーバ判定工程がハンドオーバ可能と判定した場合は、前記ハンドオーバ制御装置に前記ハンドオーバを実施させるためのハンドオーバ応答コマンドを送信するコマンド送信工程と、
を含むことを特徴とするハンドオーバ判定方法。
【請求項５】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御方法であって、
前記第１のネットワーク通信網に在圏している前記移動端末機が送信する無線品質情報を受信する無線品質情報受信工程と、
前記無線品質情報に基づき前記第１のネットワーク通信網での前記移動端末機の無線品質が劣化しているか否か判定する無線品質判定工程と、
前記無線品質判定工程が前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信工程と、
前記ハンドオーバ要求送信工程が送信した前記ハンドオーバ要求に対し前記ハンドオーバ判定装置から返信されてくるハンドオーバ応答コマンドを受信するコマンド受信工程と、
前記コマンド受信工程が前記ハンドオーバを実施させるための前記ハンドオーバ応答コマンドを受信した場合は前記移動端末機に前記ハンドオーバを実施させるハンドオーバ指示を送るハンドオーバ応答工程と、
前記コマンド受信工程が前記ハンドオーバを実施させないためのハンドオーバ拒否コマンドを受信した場合は前記移動端末機に前記ハンドオーバ指示を送信しないハンドオーバ拒否工程と、
前記コマンド受信工程が前記ハンドオーバ要求の送信を抑止させるためのハンドオーバ抑止コマンドを受信した場合は前記ハンドオーバ要求送信工程を動作させず、前記コマンド受信工程が前記ハンドオーバ要求の送信の抑止を解除させるためのハンドオーバ抑止解除コマンドを受信した場合は前記ハンドオーバ要求送信工程を動作させるハンドオーバ要求送信制限工程と、
を含むことを特徴とするハンドオーバ制御方法。
【請求項６】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定プログラムであって、
コンピュータに、
前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信ステップと、
前記ハンドオーバ要求受信ステップが前記ハンドオーバ要求または前記ハンドオーバ要求に基づく要求を受信した場合、前記移動端末機の呼の状態を取得する呼状態取得ステップと、
前記移動端末機が、前記呼の状態において前記ハンドオーバが可能な移動端末機であるか否かの情報を含む移動端末機情報を取得する移動端末機情報取得ステップと、
前記呼状態取得ステップが取得した前記呼の状態と前記移動端末機情報取得ステップが取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定ステップと、
前記ハンドオーバ判定ステップがハンドオーバ不可と判定した場合は、前記ハンドオーバ制御装置に前記ハンドオーバを実施させないためのハンドオーバ拒否コマンドを送信し、前記ハンドオーバ判定ステップがハンドオーバ可能と判定した場合は、前記ハンドオーバ制御装置に前記ハンドオーバを実施させるためのハンドオーバ応答コマンドを送信するコマンド送信ステップと、
を実行させることを特徴とするハンドオーバ判定プログラム。
【請求項７】
第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御プログラムであって、
コンピュータに、
前記第１のネットワーク通信網に在圏している前記移動端末機が送信する無線品質情報を受信する無線品質情報受信ステップと、
前記無線品質情報に基づき前記第１のネットワーク通信網での前記移動端末機の無線品質が劣化しているか否か判定する無線品質判定ステップと、
前記無線品質判定ステップが前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信ステップと、
前記ハンドオーバ要求送信ステップが送信した前記ハンドオーバ要求に対し前記ハンドオーバ判定装置から返信されてくるハンドオーバ応答コマンドを受信するコマンド受信ステップと、
前記コマンド受信ステップが前記ハンドオーバを実施させるための前記ハンドオーバ応答コマンドを受信した場合は前記移動端末機に前記ハンドオーバを実施させるハンドオーバ指示を送るハンドオーバ応答ステップと、
前記コマンド受信ステップが前記ハンドオーバを実施させないためのハンドオーバ拒否コマンドを受信した場合は前記移動端末機に前記ハンドオーバ指示を送信しないハンドオーバ拒否ステップと、
前記コマンド受信ステップが前記ハンドオーバ要求の送信を抑止させるためのハンドオーバ抑止コマンドを受信した場合は前記ハンドオーバ要求送信ステップを動作させず、前記コマンド受信ステップが前記ハンドオーバ要求の送信の抑止を解除させるためのハンドオーバ抑止解除コマンドを受信した場合は前記ハンドオーバ要求送信ステップを動作させるハンドオーバ要求送信制限ステップと、
を実行させることを特徴とするハンドオーバ制御プログラム。
【発明の詳細な説明】
【技術分野】
【０００１】
本発明は、通話中の移動端末機が異なるネットワーク通信網間を移動する際に発生するハンドオーバを制御するハンドオーバ判定装置、ハンドオーバ制御装置、ハンドオーバ判定方法、ハンドオーバ制御方法、ハンドオーバ判定プログラム、ハンドオーバ制御プログラムに関する。
【背景技術】
【０００２】
ＩＭＳ（IP Multimedia Subsystem）を構成するＳ−ＣＳＣＦ（Serving Call Session Control Function）やＰ−ＣＳＣＦ（Proxy Call Session Control Function）などのＩＭＳ系装置は、移動端末機の在圏状態に依存せずに呼制御を行うための装置である。ＩＭＳによる着信手順（例えば、音声呼の着信など）については、非特許文献１に規定されている。
移動端末機のアクセス網として、ＬＴＥ（Long Term Evolution）網と３Ｇ（3rd Generation、第３世代移動通信システム）網とを収容している場合がある。現在、ＬＴＥ網は、対応する基地局などの通信設備を順次設置している段階である。また、既に多くの通信設備が設置されている３Ｇ網に比べて、ＬＴＥ網は通信可能なサービスエリアが狭いことが多い。このため、ＬＴＥ網に在圏して音声通話をしている移動端末機が３Ｇ網のサービスエリアに移動した場合に、ＶｏＬＴＥ（Voice over LTE）方式のＬＴＥ網から回線交換方式の３Ｇ網にハンドオーバ（ＨＯ：Hand Over）させて音声通話を継続させるための方式としてＳＲＶＣＣ（Single Radio Voice Call Continuity）という技術がある。このＳＲＶＣＣは、非特許文献２，３に規定されている。【０００３】
ＳＲＶＣＣに関する標準化の資料である非特許文献３（特にリリース９）には、ＳＲＶＣＣは、移動端末機の音声呼の状態が音声通話中に限られた動作であり、音声通話中になるまでの発信中、着信中、ガイダンス中や呼び出し中におけるＳＲＶＣＣの動作については規定がされていない。移動端末機の音声呼の状態が呼び出し中状態である場合のＳＲＶＣＣであるａＳＲＶＣＣ（alerting ＳＲＶＣＣ）に関しては、非特許文献３および４のリリース１０以降で規定されている。しかしながら、移動端末機がａＳＲＶＣＣを利用するには、移動端末機がａＳＲＶＣＣに対応している必要がある。従って、ａＳＲＶＣＣの機能が導入されたとしても、ａＳＲＶＣＣに対応している移動端末機と対応していない移動端末機とが混在することが想定される。また、移動端末機の音声呼の状態が呼が確立される前の状態で送出されるガイダンスのガイダンス中状態である場合のＳＲＶＣＣであるｂＳＲＶＣＣ（ＳＲＶＣＣ before ringing）に関しては、非特許文献３および４のリリース１２以降で規定されている。なお、移動端末機の音声呼の状態が呼が確立された後の状態で送出されるガイダンスのガイダンス中状態である場合には、音声通話中と同様にＳＲＶＣＣの動作となる。【０００４】
ここで、非特許文献３（特にリリース９）に規定されたＳＲＶＣＣの動作について、図１１を参照しながら説明する。図１１（Ａ）は、発信中状態での従来のＳＲＶＣＣの動作を示すシーケンス図であり、図１１（Ｂ）は、ＬＴＥ網と３Ｇ網のサービスエリアの関係を示す概略図である。
図１１（Ｂ）に示すように、移動端末機（ＵＥ：User Equipment）３０は、ＬＴＥ網１０の基地局機器（ｅＮＢ：eNodeB）４０と通信しており、ＬＴＥ網１０のサービスエリアの境界付近かつ３Ｇ網２０のサービスエリアの中にいるものとする。図１１（Ａ）に示すように、ＩＭＳネットワーク（ＩＭＳ  ＮＷ）５０に含まれるＳ−ＣＳＣＦやＰ−ＣＳＣＦなどの呼制御装置７０は、移動端末機３０の呼制御を行っている。図１１（Ａ）では、移動端末機３０は、音声通話のためのベアラ（bearer）が確立される前の状態（発信前）とする。【０００５】
移動端末機３０を用いてユーザが発信操作をすることにより、相手側移動端末機と音声通話をするための発信が開始される。発信を開始するとともに、移動端末機３０を伴って発信側ユーザがＬＴＥ網１０のサービスエリアの境界付近からエリア端側へ移動したとする。移動端末機３０は、ＬＴＥ網１０のエリア端付近に移動したため、ＬＴＥ網１０からの無線品質が劣化してくる。そのため、時点ｔ１で、移動端末機３０は、現在の無線品質が基地局機器４０から指定された無線品質の閾値を下回ったことを示す無線品質情報３２を基地局機器４０に送信する。【０００６】
基地局機器４０は、無線品質情報３２に基づき、移動端末機３０の音声通話をＬＴＥ網１０から３Ｇ網２０にハンドオーバさせて通話を継続させることを判断する。時点ｔ２で、基地局機器４０は、移動端末機３０をＬＴＥ網１０から３Ｇ網２０にハンドオーバさせるハンドオーバ要求１３２をＭＭＥ（Mobile Management Entity）４２に送信する。ＭＭＥ４２は、ＭＳＣ（Multimedia Switching Center）  Ｓｅｒｖｅｒ４４経由でＳＲＶＣＣ要求をＩＭＳネットワーク５０に送信する。時点ｔ３で、ＩＭＳネットワーク５０は、移動端末機３０の音声呼の状態が発信中状態であるにも関わらず、移動端末機３０をＬＴＥ網１０から３Ｇ網２０にＳＲＶＣＣさせるＳＲＶＣＣ応答をＭＳＣ  Ｓｅｒｖｅｒ４４経由でＭＭＥ４２に送信し、ＭＭＥ４２はハンドオーバ応答コマンド２５２を基地局機器４０に送信する。基地局機器４０は、ハンドオーバ応答コマンド２５２を受信したので、時点ｔ４で、移動端末機３０にハンドオーバ指示１５２を送信する。時点ｔ５で、移動端末機３０は、ハンドオーバを実行する。
【先行技術文献】
【非特許文献】
【０００７】
【非特許文献１】３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）  ＴＳ２３．２２８
【非特許文献２】３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）  ＴＳ２３．２１６
【非特許文献３】３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）  ＴＳ２４．２３７
【非特許文献４】３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）  ＴＳ２３．２３７
【発明の概要】
【発明が解決しようとする課題】
【０００８】
しかしながら、時点ｔ５で、移動端末機３０は、音声呼の状態がまだ発信中状態であり、通話中状態ではない。
通話中状態ではない場合のＳＲＶＣＣの動作は、非特許文献３（特にリリース９）に規定されていない。このため、ＩＭＳネットワーク５０は、３Ｇ  ＮＷ６０へのＳＲＶＣＣを正しく行うことができない。また、移動端末機３０は、ＩＭＳネットワーク５０で使用していたＳＩＰプロトコルから３Ｇ  ＮＷ６０で使用すべきＣＣプロトコルへの音声プロトコルの変換ができない状態となり、呼切断に繋がる可能性や、移動端末機３０とＩＭＳネットワーク５０との間で、状態が不一致になってしまう可能性がある。【０００９】
本発明は、上述した従来技術の問題点を解決するためになされたものであり、その目的は、音声呼の状態がＳＲＶＣＣの規定に対応していない場合に移動端末機をハンドオーバさせてしまうことによる移動端末機の呼切断や、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができるハンドオーバ判定装置、ハンドオーバ制御装置、ハンドオーバ判定方法、ハンドオーバ制御方法、ハンドオーバ判定プログラム、ハンドオーバ制御プログラムを提供することである。
【課題を解決するための手段】
【００１０】
本発明のある態様によるハンドオーバ判定装置は、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定装置であって、前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信部と、前記ハンドオーバ要求受信部が前記ハンドオーバ要求または前記ハンドオーバ要求に基づく要求を受信した場合、前記移動端末機の呼の状態を取得する呼状態取得部と、前記移動端末機が、前記呼の状態において前記ハンドオーバが可能な移動端末機であるか否かの情報を含む移動端末機情報を取得する移動端末機情報取得部と、前記呼状態取得部が取得した前記呼の状態と前記移動端末機情報取得部が取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定部と、前記ハンドオーバ判定部がハンドオーバ不可と判定した場合は、前記ハンドオーバ制御装置に前記ハンドオーバを実施させないためのハンドオーバ拒否コマンドを送信し、前記ハンドオーバ判定部がハンドオーバ可能と判定した場合は、前記ハンドオーバ制御装置に前記ハンドオーバを実施させるためのハンドオーバ応答コマンドを送信するコマンド送信部と、を備えることを特徴とする。【００１１】
この構成によれば、移動端末機の呼の状態と、移動端末機の呼の状態においてハンドオーバが可能な移動端末機であるか否かの移動端末機情報とに基づき、ハンドオーバができるか否かを判定できるので、呼の状態がＳＲＶＣＣの規定に対応していない場合に、移動端末機をハンドオーバさせてしまうことによる移動端末機の呼切断と、移動端末機とＩＭＳネットワークとの間の状態不一致を防ぐことができる。
上記ハンドオーバ判定装置は、前記コマンド送信部は、さらに、前記ハンドオーバ判定部がハンドオーバ不可と判定した場合は、前記ハンドオーバ制御装置に前記ハンドオーバ要求の送信を抑止させるためのハンドオーバ抑止コマンドを前記ハンドオーバ拒否コマンドに付加して送信し、前記ハンドオーバ抑止コマンドを前記ハンドオーバ制御装置に送信後、前記ハンドオーバ判定部がハンドオーバ可能と判定した場合、前記ハンドオーバ制御装置に前記ハンドオーバ要求の送信の抑止を解除させるためのハンドオーバ抑止解除コマンドを送信してもよい。【００１２】
こうすれば、移動端末機の呼の状態と、移動端末機の呼の状態が呼び出し中状態でもハンドオーバが可能な移動端末機であるか否かの移動端末機情報に基づき、ハンドオーバを要求できるか否かを判定でき、ハンドオーバができない期間はハンドオーバ制御装置にハンドオーバ要求の送信を抑止させることができるので、呼の状態がＳＲＶＣＣの規定に対応していない場合に移動端末機をハンドオーバさせてしまうことによる移動端末機の呼切断と、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができる。【００１３】
本発明のある態様によるハンドオーバ制御装置は、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御装置であって、前記第１のネットワーク通信網に在圏している前記移動端末機が送信する無線品質情報を受信する無線品質情報受信部と、前記無線品質情報に基づき前記第１のネットワーク通信網での前記移動端末機の無線品質が劣化しているか否か判定する無線品質判定部と、前記無線品質判定部が前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信部と、前記ハンドオーバ要求送信部が送信した前記ハンドオーバ要求に対し前記ハンドオーバ判定装置から返信されてくるハンドオーバ応答コマンドを受信するコマンド受信部と、前記コマンド受信部が前記ハンドオーバを実施させるための前記ハンドオーバ応答コマンドを受信した場合は前記移動端末機に前記ハンドオーバを実施させるハンドオーバ指示を送るハンドオーバ応答部と、前記コマンド受信部が前記ハンドオーバを実施させないためのハンドオーバ拒否コマンドを受信した場合は前記移動端末機に前記ハンドオーバ指示を送信しないハンドオーバ拒否部と、前記コマンド受信部が前記ハンドオーバ要求の送信を抑止させるためのハンドオーバ抑止コマンドを受信した場合は前記ハンドオーバ要求送信部を動作させず、前記コマンド受信部が前記ハンドオーバ要求の送信の抑止を解除させるためのハンドオーバ抑止解除コマンドを受信した場合は前記ハンドオーバ要求送信部を動作させるハンドオーバ要求送信制限部と、を備えることを特徴とする。【００１４】
この構成によれば、移動端末機の呼の状態と、移動端末機の呼の状態が呼び出し中状態でもハンドオーバが可能な移動端末機であるか否かの移動端末機情報と、ハンドオーバができるか否かを判定するハンドオーバ判定装置からのコマンドに基づきハンドオーバを制御でき、ハンドオーバができない期間はハンドオーバ判定装置からのコマンドに基づきハンドオーバ要求の送信を抑止することができるので、呼の状態がＳＲＶＣＣの規定に対応していない場合に移動端末機をハンドオーバさせてしまうことによる移動端末機の呼切断と、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができる。【００１５】
本発明のある態様によるハンドオーバ判定方法は、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定方法であって、前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信工程と、前記ハンドオーバ要求受信工程が前記ハンドオーバ要求または前記ハンドオーバ要求に基づく要求を受信した場合、前記移動端末機の呼の状態を取得する呼状態取得工程と、前記移動端末機が、前記呼の状態において前記ハンドオーバが可能な移動端末機であるか否かの情報を含む移動端末機情報を取得する移動端末機情報取得工程と、前記呼状態取得工程が取得した前記呼の状態と前記移動端末機情報取得工程が取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定工程と、前記ハンドオーバ判定工程がハンドオーバ不可と判定した場合は、前記ハンドオーバ制御装置に前記ハンドオーバを実施させないためのハンドオーバ拒否コマンドを送信し、前記ハンドオーバ判定工程がハンドオーバ可能と判定した場合は、前記ハンドオーバ制御装置に前記ハンドオーバを実施させるためのハンドオーバ応答コマンドを送信するコマンド送信工程と、を含むことを特徴とする。【００１６】
この構成によれば、移動端末機の呼の状態と、移動端末機の呼の状態においてハンドオーバが可能な移動端末機であるか否かの移動端末機情報とに基づき、ハンドオーバができるか否かを判定できるので、呼の状態がＳＲＶＣＣの規定に対応していない場合に移動端末機をハンドオーバさせてしまうことによる移動端末機の呼切断や、移動端末機とＩＭＳネットワークとの間の状態不一致を防ぐことができる。【００１７】
本発明のある態様によるハンドオーバ制御方法は、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御方法であって、前記第１のネットワーク通信網に在圏している前記移動端末機が送信する無線品質情報を受信する無線品質情報受信工程と、前記無線品質情報に基づき前記第１のネットワーク通信網での前記移動端末機の無線品質が劣化しているか否か判定する無線品質判定工程と、前記無線品質判定工程が前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信工程と、前記ハンドオーバ要求送信工程が送信した前記ハンドオーバ要求に対し前記ハンドオーバ判定装置から返信されてくるハンドオーバ応答コマンドを受信するコマンド受信工程と、前記コマンド受信工程が前記ハンドオーバを実施させるための前記ハンドオーバ応答コマンドを受信した場合は前記移動端末機に前記ハンドオーバを実施させるハンドオーバ指示を送るハンドオーバ応答工程と、前記コマンド受信工程が前記ハンドオーバを実施させないためのハンドオーバ拒否コマンドを受信した場合は前記移動端末機に前記ハンドオーバ指示を送信しないハンドオーバ拒否工程と、前記コマンド受信工程が前記ハンドオーバ要求の送信を抑止させるためのハンドオーバ抑止コマンドを受信した場合は前記ハンドオーバ要求送信工程を動作させず、前記コマンド受信工程が前記ハンドオーバ要求の送信の抑止を解除させるためのハンドオーバ抑止解除コマンドを受信した場合は前記ハンドオーバ要求送信工程を動作させるハンドオーバ要求送信制限工程と、を含むことを特徴とする。【００１８】
この構成によれば、移動端末機の呼の状態と、移動端末機の呼の状態が呼び出し中状態でもハンドオーバが可能であるか否かの移動端末機情報と、ハンドオーバができるか否かを判定するハンドオーバ判定装置からのコマンドに基づきハンドオーバを制御でき、ハンドオーバができない期間はハンドオーバ判定装置からのコマンドに基づきハンドオーバ要求の送信を抑止することができるので、呼の状態がＳＲＶＣＣの規定に対応していない場合に移動端末機をハンドオーバさせてしまうことによる移動端末機の呼切断や、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができる。【００１９】
本発明のある態様によるハンドオーバ判定プログラムは、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定プログラムであって、コンピュータに、前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信ステップと、前記ハンドオーバ要求受信ステップが前記ハンドオーバ要求または前記ハンドオーバ要求に基づく要求を受信した場合、前記移動端末機の呼の状態を取得する呼状態取得ステップと、前記移動端末機が、前記呼の状態において前記ハンドオーバが可能な移動端末機であるか否かの情報を含む移動端末機情報を取得する移動端末機情報取得ステップと、前記呼状態取得ステップが取得した前記呼の状態と前記移動端末機情報取得ステップが取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定ステップと、前記ハンドオーバ判定ステップがハンドオーバ不可と判定した場合は、前記ハンドオーバ制御装置に前記ハンドオーバを実施させないためのハンドオーバ拒否コマンドを送信し、前記ハンドオーバ判定ステップがハンドオーバ可能と判定した場合は、前記ハンドオーバ制御装置に前記ハンドオーバを実施させるためのハンドオーバ応答コマンドを送信するコマンド送信ステップと、を実行させることを特徴とする。【００２０】
この構成によれば、移動端末機の呼の状態と、移動端末機の呼の状態においてハンドオーバが可能であるか否かの移動端末機情報とに基づき、ハンドオーバができるか否かを判定できるので、呼の状態がＳＲＶＣＣの規定に対応していない場合に移動端末機をハンドオーバさせてしまうことによる移動端末機の呼切断や、移動端末機とＩＭＳネットワークとの間の状態不一致を防ぐことができる。【００２１】
本発明のある態様によるハンドオーバ制御プログラムは、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御プログラムであって、コンピュータに、前記第１のネットワーク通信網に在圏している前記移動端末機が送信する無線品質情報を受信する無線品質情報受信ステップと、前記無線品質情報に基づき前記第１のネットワーク通信網での前記移動端末機の無線品質が劣化しているか否か判定する無線品質判定ステップと、前記無線品質判定ステップが前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信ステップと、前記ハンドオーバ要求送信ステップが送信した前記ハンドオーバ要求に対し前記ハンドオーバ判定装置から返信されてくるハンドオーバ応答コマンドを受信するコマンド受信ステップと、前記コマンド受信ステップが前記ハンドオーバを実施させるための前記ハンドオーバ応答コマンドを受信した場合は前記移動端末機に前記ハンドオーバを実施させるハンドオーバ指示を送るハンドオーバ応答ステップと、前記コマンド受信ステップが前記ハンドオーバを実施させないためのハンドオーバ拒否コマンドを受信した場合は前記移動端末機に前記ハンドオーバ指示を送信しないハンドオーバ拒否ステップと、前記コマンド受信ステップが前記ハンドオーバ要求の送信を抑止させるためのハンドオーバ抑止コマンドを受信した場合は前記ハンドオーバ要求送信ステップを動作させず、前記コマンド受信ステップが前記ハンドオーバ要求の送信の抑止を解除させるためのハンドオーバ抑止解除コマンドを受信した場合は前記ハンドオーバ要求送信ステップを動作させるハンドオーバ要求送信制限ステップと、を実行させることを特徴とする。【００２２】
この構成によれば、移動端末機の呼の状態と、移動端末機の呼の状態が呼び出し中状態でもハンドオーバが可能であるか否かの移動端末機情報と、ハンドオーバができるか否かを判定するハンドオーバ判定装置からのコマンドに基づきハンドオーバを制御でき、ハンドオーバができない期間はハンドオーバ判定装置からのコマンドに基づきハンドオーバ要求の送信を抑止することができるので、呼の状態がＳＲＶＣＣの規定に対応していない場合に移動端末機をハンドオーバさせてしまうことによる移動端末機の呼切断と、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができる。
【発明の効果】
【００２３】
本発明によれば、移動端末機の呼の状態と、移動端末機の呼の状態においてハンドオーバが可能であるか否かの移動端末機情報と、ハンドオーバができるか否かを判定するハンドオーバ判定装置からのコマンドに基づきハンドオーバを制御でき、ハンドオーバができない期間はハンドオーバ判定装置からのコマンドに基づきハンドオーバ要求の送信を抑止することができるので、呼の状態がＳＲＶＣＣの規定に対応していない場合に移動端末機をハンドオーバさせてしまうことによる移動端末機の呼切断や、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減することができる。
【図面の簡単な説明】
【００２４】
【図１】本発明の第１の実施形態に係るハンドオーバ判定装置及びハンドオーバ制御装置の構成を示す構成図である。
【図２】本発明の第１の実施形態に係るハンドオーバ判定装置の動作を示す流れ図である。
【図３】本発明の第１の実施形態に係るハンドオーバ判定装置のハンドオーバ判定部の動作を示す流れ図である。
【図４】本発明の第１の実施形態に係るハンドオーバ制御装置の動作を示す流れ図である。
【図５】本発明の第１の実施形態に係るハンドオーバ判定装置及びハンドオーバ制御装置の動作を示すシーケンス図である。
【図６】本発明の第２の実施形態に係るハンドオーバ判定装置及びハンドオーバ制御装置の構成を示す構成図である。
【図７】本発明の第２の実施形態に係るハンドオーバ判定装置の動作を示す流れ図である。
【図８】本発明の第２の実施形態に係るハンドオーバ制御装置の動作を示す流れ図である。
【図９】本発明の第２の実施形態に係るハンドオーバ判定装置及びハンドオーバ制御装置の動作を示すシーケンス図である。
【図１０】ＬＴＥ網のサービスエリアと３Ｇ網のサービスエリアとの関係を示す構成図である。
【図１１】従来のＳＲＶＣＣの動作を示すシーケンス図である。
【発明を実施するための形態】
【００２５】
以下、ハンドオーバ判定装置及びハンドオーバ制御装置の実施形態について図面に従って説明する。以下に参照する各図において、他の図と同等部分は同一符号を付して説明する。
（第１の実施形態）
先ず、第１の実施形態に係るハンドオーバ判定装置及びハンドオーバ制御装置の構成について、図１を参照して説明する。図１は、第１の実施形態に係るハンドオーバ判定装置２００及びハンドオーバ制御装置１００の構成を示す構成図である。
【００２６】
図１（Ｂ）に示すように、移動端末機（ＵＥ：User Equipment）３０は、第１のネットワーク通信網であるＬＴＥ（Long Term Evolution）網１０と、第１のネットワーク通信網と共通のサービスエリアを有する第２のネットワーク通信網である３Ｇ（3rd Generation、第３世代移動通信システム）網２０と、で音声通話またはビデオ通話による通話が可能である。ＬＴＥ網１０は、図１（Ａ）の基地局機器（ｅＮＢ：eNodeB）４０とＭＭＥ（Mobile Management Entity）４２とＭＳＣ（Multimedia Switching Center）  Ｓｅｒｖｅｒ４４とＩＭＳ（IP Multimedia Subsystem）ネットワーク（ＩＭＳ  ＮＷ）５０とを含んでいる。３Ｇ網２０は、３Ｇネットワーク（３Ｇ  ＮＷ）６０を含んでいる。また、図１（Ｂ）に現在のＬＴＥ網１０のサービスエリアと３Ｇ網２０のサービスエリアの関係性を示す。図１（Ｂ）に示すように、ＬＴＥ網１０のサービスエリアは、３Ｇ網２０のサービスエリアと共通しており、３Ｇ網２０のサービスエリアよりも狭いことを示している。
【００２７】
図１（Ａ）に示すように、基地局機器４０は、ハンドオーバ制御装置１００を含んでいる。ＩＭＳネットワーク５０は、ハンドオーバ判定装置２００と、Ｓ−ＣＳＣＦ（Serving Call Session Control Function）やＰ−ＣＳＣＦ（Proxy Call Session Control Function）などで構成される呼制御装置７０と、ホーム加入者サーバ（ＨＳＳ：Home Subscriber Server）などで構成された移動端末機情報管理装置８０と、を含んでいる。
ハンドオーバ制御装置１００は、無線品質情報受信部１１０と、無線品質判定部１２０と、ハンドオーバ要求送信部１３０と、コマンド受信部１４０と、ハンドオーバ応答部１５０と、ハンドオーバ拒否部１６０と、を含んでいる。
ハンドオーバ判定装置２００は、ハンドオーバ要求受信部２１０と、呼状態取得部２２０と、移動端末機情報取得部２３０と、ハンドオーバ判定部２４０と、コマンド送信部２５０と、を含んでいる。
【００２８】
移動端末機３０は、ＬＴＥ網１０における無線品質の値が基地局機器４０から指定された無線品質の閾値よりも下回った場合などに、無線品質情報３２を基地局機器４０に含まれるハンドオーバ制御装置１００の無線品質情報受信部１１０に送信する。
無線品質判定部１２０は、無線品質情報受信部１１０が受信した無線品質情報３２に基づき、移動端末機３０の無線品質が劣化しているか否かを判定する。
ハンドオーバ要求送信部１３０は、移動端末機３０の無線品質が劣化していると判定した場合に、移動端末機３０をＬＴＥ網１０から３Ｇ網２０にハンドオーバさせるハンドオーバ要求１３２をＭＭＥ４２に送信する。ＭＭＥ４２は、ＭＳＣ  Ｓｅｒｖｅｒ４４経由でＳＲＶＣＣ要求をＩＭＳネットワーク５０に含まれるハンドオーバ判定装置２００のハンドオーバ要求受信部２１０に送信する。
【００２９】
ハンドオーバ判定装置２００のハンドオーバ要求受信部２１０は、ハンドオーバ要求送信部１３０から送信されたハンドオーバ要求１３２に基づくＳＲＶＣＣ要求を受信する。
呼状態取得部２２０は、移動端末機３０の呼の状態を、移動端末機３０の呼の状態を監視している呼制御装置７０から取得する。呼の状態としては、発信中状態、呼び出し中状態、着信中状態、通話中状態および割込通話中状態が挙げられる。発信中状態とは、移動端末機３０が発信を開始した直後の状態である。呼び出し中状態とは、発信状態の後、発信側移動端末機３０が相手の移動端末機と通信を確立する前までの間で、相手を呼び出している状態である。また、呼び出し中状態とは、着側端末機が着信し、着信に応答するまでの間で呼び出しをしている状態である。着信中状態とは、着側移動端末機が着信し、呼び出しを開始する前までの状態である。通話中状態とは、相手の移動端末機と音声通話またはビデオ通話ができる状態である。割込通話中状態とは、通話中の相手の移動端末機との通話を保留にしたまま、後からかかってきた他の移動端末機との間での通話ができる状態である（割込通話とは、例えば「キャッチホン」（日本電信電話株式会社の登録商標）サービスを利用した通話をいう）。
【００３０】
移動端末機情報取得部２３０は、移動端末機３０が、その呼の状態が呼び出し中状態でもハンドオーバが可能なａＳＲＶＣＣ（alerting ＳＲＶＣＣ）対応の移動端末機（つまり、ａＳＲＶＣＣの機能を備えている移動端末機）であるか否かの移動端末機情報を、移動端末機情報管理装置８０から取得する。また、移動端末機情報取得部２３０は、移動端末機３０が、その呼の状態が呼が確立する前の状態で送出されるガイダンス中状態でもハンドオーバが可能なｂＳＲＶＣＣ（ＳＲＶＣＣ before ringing）対応の移動端末機（つまり、ｂＳＲＶＣＣの機能を備えている移動端末機）であるか否かの移動端末機情報を、移動端末機情報管理装置８０から取得する。
ハンドオーバ判定部２４０は、呼状態取得部２２０が取得した移動端末機３０の呼の状態と、移動端末機情報取得部２３０が取得した移動端末機情報とに基づき、ハンドオーバ可能か可かを判定する。
【００３１】
コマンド送信部２５０は、ハンドオーバ判定部２４０がハンドオーバ可能と判定した場合、ハンドオーバ制御装置１００にハンドオーバを実施させるためのＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１００のコマンド受信部１４０に送信する。
また、コマンド送信部２５０は、ハンドオーバ判定部２４０がハンドオーバ不可と判定した場合、ハンドオーバ制御装置１００にハンドオーバを実施させないためのＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１００のコマンド受信部１４０に送信する。
【００３２】
ハンドオーバ制御装置１００のコマンド受信部１４０は、ハンドオーバ判定装置２００のコマンド送信部２５０が送信するハンドオーバ応答コマンド２５２と、ハンドオーバ拒否コマンド２６２と、を受信する。
ハンドオーバ応答部１５０は、コマンド受信部１４０が受信したコマンドにハンドオーバ応答コマンド２５２が含まれている場合は、移動端末機３０にハンドオーバを実施させるためのハンドオーバ指示１５２を送信する。
ハンドオーバ拒否部１６０は、コマンド受信部１４０が受信したコマンドにハンドオーバ拒否コマンド２６２が含まれている場合は、移動端末機３０にハンドオーバ指示１５２を送信しない。
【００３３】
＜ハンドオーバ判定装置２００の動作＞
第１の実施形態に係るハンドオーバ判定装置の動作について、図２を参照して説明する。図２は、第１の実施形態に係るハンドオーバ判定装置２００の動作を示す流れ図である。なお、以下では、非特許文献３のリリース９で規定されたＳＲＶＣＣおよび非特許文献３および４のリリース１０で規定された、呼の状態が呼び出し中状態でもハンドオーバが可能なａＳＲＶＣＣ対応の端末機である移動端末機３０が音声呼を取得し（音声通話を行い）、音声呼の状態と移動端末機情報とに基づき、ハンドオーバ可能か否かを判定する場合について説明する。
図２に示すように、先ず、ステップＳ２０２では、ハンドオーバ要求受信部２１０が、ハンドオーバ要求送信部１３０から送信されたハンドオーバ要求１３２に基づくＳＲＶＣＣ要求を受信するまで待機し、ハンドオーバ要求１３２基づくＳＲＶＣＣ要求を受信したらステップＳ２０４に移行する。
【００３４】
ステップＳ２０４では、移動端末機情報取得部２３０が、移動端末機３０がその音声呼の状態が呼び出し中状態でもハンドオーバが可能なａＳＲＶＣＣ対応の端末機であるか否かの移動端末機情報を移動端末機情報管理装置８０から取得する。その後、処理をステップＳ２０６に移行する。なお、移動端末機情報取得部２３０が、移動端末機３０の移動端末機情報を移動端末機情報管理装置８０から既に取得している場合は、ステップＳ２０４の処理は行わなくてもよい。また、移動端末機情報取得部２３０は、移動端末機３０がその音声呼の状態が着信中状態でもハンドオーバが可能な端末機であるか否かの移動端末機情報や、その音声呼の状態が発信中状態でもハンドオーバが可能な端末機であるか否かの移動端末機情報を移動端末機情報管理装置８０から取得するようにしてもよい。
【００３５】
ステップＳ２０６では、呼状態取得部２２０が、移動端末機３０の音声呼の状態（発信中／呼び出し中／着信中／通話中／割込通話中等）を、移動端末機３０の音声呼の状態を監視している呼制御装置７０から取得する。その後、処理をステップＳ２０８に移行する。なお、ステップＳ２０４とステップＳ２０６との順序は、逆であっても（つまり、ステップＳ２０２でハンドオーバ要求１３２を受信したら、ステップＳ２０６に移行し、ステップＳ２０４に移行し、ステップＳ２０８に移行するようにしても）構わない。
ステップＳ２０８では、ハンドオーバ判定部２４０を実行する。その後、処理をステップＳ２１０に移行する。
ステップＳ２１０では、ハンドオーバ判定部２４０がハンドオーバ可能と判定した場合はステップＳ２１２に移行する。一方、ステップＳ２１０において、ハンドオーバ判定部２４０がハンドオーバ不可と判定した場合はステップＳ２１４に移行する。
【００３６】
ステップＳ２１２では、コマンド送信部２５０を実行することにより、ハンドオーバを実施させるためのＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１００のコマンド受信部１４０に送信する。その後、処理をステップＳ２０２に移行する。
一方、ステップＳ２１４では、コマンド送信部２５０を実行することにより、ハンドオーバを実施させないためのＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１００のコマンド受信部１４０に送信する。その後、処理をステップＳ２０２に移行する。
【００３７】
＜ハンドオーバ判定部２４０の動作＞
ハンドオーバ判定部２４０の動作について、図３を参照して説明する。図３は、ハンドオーバ判定部２４０の動作を示す流れ図である。なお、以下では、移動端末機３０が音声呼を取得し（音声通話を行い）、音声呼の状態と移動端末機情報とに基づき、ハンドオーバ可能か否かを判定する場合について説明する。
図３（Ａ）に示すように、先ず、ステップＳ２４２では、移動端末機３０の音声呼の状態が、発信中状態か着信中状態か呼び出し中状態か通話中状態か割込通話中状態かの何れの状態であるか判定し、移動端末機３０の音声呼の状態が発信中状態である場合はステップＳ２４６に移行する。また、ステップＳ２４２において、移動端末機３０の音声呼の状態が着信中状態である場合はステップＳ２４６に移行する。また、ステップＳ２４２において、移動端末機３０の音声呼の状態が呼び出し中状態である場合はステップＳ２４４に移行する。また、ステップＳ２４２において、移動端末機３０の音声呼の状態が通話中状態である場合はステップＳ２４８に移行する。また、ステップＳ２４２において、移動端末機３０の音声呼の状態が割込通話中状態である場合はステップＳ２４８に移行する。
【００３８】
ステップＳ２４４では、移動端末機３０の移動端末機情報がその音声呼の状態が呼び出し中状態でもハンドオーバが可能なａＳＲＶＣＣ対応の端末機であるか否か判定し、ａＳＲＶＣＣ対応の端末機である場合はステップＳ２４８に移行する。一方、ステップＳ２４４において、ａＳＲＶＣＣ対応の端末機ではない場合はステップＳ２４６に移行する。
ステップＳ２４６では、ハンドオーバ不可と判定し、ハンドオーバ判定部２４０の処理を終了する。
一方、ステップＳ２４８では、ハンドオーバ可能と判定し、ハンドオーバ判定部２４０の処理を終了する。
なお、図３（Ａ）では、呼び出し中状態でもハンドオーバが可能なａＳＲＶＣＣ対応の端末機であるか否かを判定するように説明したが、図３（Ｂ）に示すように着信中状態でもＳＲＶＣＣが可能な端末機であるか否かを判定（ステップＳ２５０）したり、発信中状態でもＳＲＶＣＣが可能な端末機であるか否かを判定（ステップＳ２５２）したりするようにしてもよい。
【００３９】
＜ハンドオーバ制御装置１００の動作＞
第１の実施形態に係るハンドオーバ制御装置１００の動作について、図４を参照して説明する。図４は、第１の実施形態に係るハンドオーバ制御装置１００の動作を示す流れ図である。
図４に示すように、先ず、ステップＳ１０２では、無線品質情報受信部１１０が無線品質情報３２を受信するまで待機し、受信したらステップＳ１０４に移行する。
ステップＳ１０４では、無線品質判定部１２０が、無線品質情報３２に基づき、移動端末機３０をハンドオーバさせる必要があるか否かを判定し、必要がある場合はステップＳ１０６に移行する。一方、ステップＳ１０４において、ハンドオーバの必要がない場合はステップＳ１０２に移行する。
【００４０】
ステップＳ１０６では、ハンドオーバ要求送信部１３０が、ハンドオーバ要求１３２をＭＭＥ４２に送信する。（ＭＭＥ４２は、ＭＳＣ  Ｓｅｒｖｅｒ４４経由でＳＲＶＣＣ要求をハンドオーバ要求受信部２１０に送信する。）その後、処理をステップＳ１０８に移行する。
ステップＳ１０８では、コマンド受信部１４０がコマンドを受信するまで待機し、コマンドを受信したらステップＳ１１０に移行する。
【００４１】
ステップＳ１１０では、コマンド受信部１４０が受信したコマンドがハンドオーバ応答コマンド２５２であるか否か判定し、ハンドオーバ応答コマンド２５２である場合はステップＳ１１２に移行する。一方、ステップＳ１１０において、ハンドオーバ応答コマンド２５２ではない（つまり、ハンドオーバ拒否コマンド２６２である）場合はステップＳ１１４に移行する。
ステップＳ１１２では、ハンドオーバ応答部１５０を実行し、移動端末機３０にハンドオーバ指示１５２を送信する。その後、処理をステップＳ１０２に移行する。
一方、ステップＳ１１４では、ハンドオーバ拒否部１６０を実行し、移動端末機３０にハンドオーバを実施させるためのハンドオーバ指示１５２を送信しない。その後、処理をステップＳ１０２に移行する。
【００４２】
＜ハンドオーバ判定装置２００及びハンドオーバ制御装置１００の動作＞
第１の実施形態に係るハンドオーバ制御装置１００の動作について、図５及び図２〜４を参照して説明する。図５は、第１の実施形態に係るハンドオーバ判定装置２００及びハンドオーバ制御装置１００の動作を示すシーケンス図である。なお、以下では、移動端末機３０が音声呼を取得し（音声通話を行い）、音声呼の状態と移動端末機情報とに基づき、ハンドオーバ可能か否かを判定する場合について説明する。
【００４３】
＜発信中状態の動作＞
移動端末機３０は、音声呼の状態が呼び出し中状態でもハンドオーバが可能なａＳＲＶＣＣ対応の移動端末機であり、ＬＴＥ網１０のサービスエリアの境界付近かつ３Ｇ網２０のサービスエリアの中にいるものとし（図１（Ｂ）参照）、ＬＴＥ網１０の基地局機器４０と通信しているものとして説明する。図５では、移動端末機３０は、時点ｔ０において、音声通話のためのベアラ（bearer）が確立される前の状態（発信中）とする。
移動端末機３０を持ったユーザが発信操作することにより、相手側移動端末機と音声通話をするための発信が開始される。発信を開始するとともに、移動端末機３０を持ったユーザがＬＴＥ網１０から３Ｇ網２０のサービスエリア付近（図１（Ｂ）参照）に移動したとする。移動端末機３０は、ＬＴＥ網１０の端付近に移動したため、ＬＴＥ網１０の無線品質が劣化してくる。そのため、図５の時点ｔ１で、移動端末機３０は、現在の無線品質が基地局機器４０から指定された無線品質の閾値を下回ったことを示す無線品質情報３２を基地局機器４０に送信する。
【００４４】
基地局機器４０に含まれるハンドオーバ制御装置１００の無線品質情報受信部１１０は、無線品質情報３２を受信する（図４のステップＳ１０２）。
無線品質判定部１２０は、無線品質情報３２に基づき、移動端末機３０をハンドオーバさせる必要があると判定する（図４のステップＳ１０４）。
時点ｔ２で、ハンドオーバ要求送信部１３０は、ハンドオーバ要求１３２をＭＭＥ４２に送信する。ＭＭＥ４２は、ＭＳＣ  Ｓｅｒｖｅｒ４４経由でＳＲＶＣＣ要求をハンドオーバ要求受信部２１０に送信する（図４のステップＳ１０６）。
ハンドオーバ要求受信部２１０は、ハンドオーバ要求１３２に基づくＳＲＶＣＣ要求を受信する（図２のステップＳ２０２）。
【００４５】
移動端末機情報取得部２３０は、移動端末機３０がその音声呼の状態が呼び出し中状態でもハンドオーバが可能なａＳＲＶＣＣ対応の端末機であるか否かの移動端末機情報を移動端末機情報管理装置８０から取得する（図２のステップＳ２０４）。また、呼状態取得部２２０は、移動端末機３０の音声呼の状態が発信中状態であることを取得する（図２のステップＳ２０６）。ハンドオーバ判定部２４０は、移動端末機３０の音声呼の状態が発信中状態であり、移動端末機３０がＳＲＶＣＣに対応しているタイミングではないため、ハンドオーバ不可と判定する（図２のステップＳ２０８）。
【００４６】
時点ｔ３で、コマンド送信部２５０を実行することにより、ハンドオーバを実施させないためのＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１００のコマンド受信部１４０に送信する（図２のステップＳ２１４）。ハンドオーバ制御装置１００は、ハンドオーバ拒否部１６０を実行し、移動端末機３０にハンドオーバを実施させるためのハンドオーバ指示１５２を送信しない（図４のステップＳ１１４）。
【００４７】
＜呼び出し中状態の動作＞
時点ｔ４で、移動端末機３０の音声呼の状態が呼び出し中状態に遷移する。
時点ｔ５で、移動端末機３０は、現在の無線品質が基地局機器４０から指定された無線品質の閾値を未だに下回っていることを示す無線品質情報３２を基地局機器４０に送信する。
基地局機器４０に含まれるハンドオーバ制御装置１００の無線品質情報受信部１１０は、無線品質情報３２を受信する（図４のステップＳ１０２）。
無線品質判定部１２０は、無線品質情報３２に基づき、移動端末機３０をハンドオーバさせる必要があると判定する（図４のステップＳ１０４）。
時点ｔ６で、ハンドオーバ要求送信部１３０は、ハンドオーバ要求１３２をＭＭＥ４２に送信する。ＭＭＥ４２は、ＭＳＣ  Ｓｅｒｖｅｒ４４経由でＳＲＶＣＣ要求をハンドオーバ要求受信部２１０に送信する（図４のステップＳ１０６）。
【００４８】
ハンドオーバ要求受信部２１０は、ハンドオーバ要求１３２に基づくＳＲＶＣＣ要求を受信する（図２のステップＳ２０２）。なお、移動端末機情報取得部２３０は、移動端末機情報を既に取得している。また、呼状態取得部２２０は、移動端末機３０の音声呼の状態が呼び出し中状態であることを取得する（図２のステップＳ２０６）。ハンドオーバ判定部２４０は、移動端末機３０の音声呼の状態が呼び出し中状態でかつ移動端末機３０の移動端末機情報がその音声呼の状態が呼び出し中状態でもハンドオーバが可能なａＳＲＶＣＣ対応の端末機であるので、ハンドオーバ可能と判定する（図２のステップＳ２０８）。
【００４９】
時点ｔ７で、コマンド送信部２５０を実行することにより、ＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１００のコマンド受信部１４０に送信する（図２のステップＳ２１４）。
時点ｔ８で、ハンドオーバ制御装置１００は、ハンドオーバ応答部１５０を実行し、移動端末機３０にハンドオーバを実施させるためのハンドオーバ指示１５２を送信する（図４のステップＳ１１２）。
時点ｔ９で、移動端末機３０は、ハンドオーバを実行する。移動端末機３０は、ＬＴＥ網１０から３Ｇ網２０にハンドオーバされ（図１（Ｂ）参照）、時点ｔ１０で３Ｇネットワーク６０による通話中状態に切り替わることを示している。つまり、ＳＲＶＣＣが動作したことを示している。
【００５０】
以上に述べた第１の実施形態によれば、以下の効果が得られる。
第１の実施形態では、移動端末機３０の呼の状態と、移動端末機３０の呼の状態が呼び出し中状態でもハンドオーバが可能な移動端末機であるか否かの移動端末機情報とに基づき、ハンドオーバができるか否かを判定できるので、移動端末機が対応していない呼の状態で移動端末機３０をハンドオーバさせてしまうことによる移動端末機３０の呼切断と、移動端末機３０とＩＭＳネットワーク５０との間の状態不一致を防ぐことができる。
【００５１】
（変形例１）
第１の実施形態では、移動端末機３０は、その呼の状態が呼び出し中状態でもハンドオーバが可能なａＳＲＶＣＣ対応の端末機であるものとして説明したが、ａＳＲＶＣＣ非対応の端末機についても同様に説明できる。なお、本変形例１におけるａＳＲＶＣＣ非対応の端末機とは、非特許文献３のリリース９に規定されたＳＲＶＣＣには対応しているが、非特許文献３および４のリリース１０以降で規定されたａＳＲＶＣＣには非対応の端末機を示す。
移動端末機３０がａＳＲＶＣＣ非対応の端末機の場合は、発信中状態および呼び出し中状態においては、図５の時点t０と同様の処理を行う。通話中状態においては、図５の時点ｔ４と同様の処理を行う。
【００５２】
図５において、時点ｔ４の「呼び出し中」を「音声通話中」と読み替えて本変形例１の構成を説明する。図５の時点ｔ６で、ハンドオーバ要求１３２に基づくＳＲＶＣＣ要求を受信すると、ハンドオーバ判定部２４０は、移動端末機３０の音声呼の状態が通話中状態であるので、ハンドオーバ可能と判定する（図２のステップＳ２０８）。時点ｔ７以降は、第１の実施形態と同様である。
また、移動端末機３０の呼の状態が、発信中状態か呼び出し中状態か着信中状態か通話中状態か割込通話中状態かの何れかの状態として説明したが、音声ガイダンスに繋がったガイダンス中状態や切断中状態を含めてもよい。なお、本変形例１で説明するａＳＲＶＣＣ非対応の移動端末機３０は、呼が確立される前のガイダンス中状態や切断中状態のハンドオーバに対応していない。このため、ハンドオーバ判定部２４０は、移動端末機３０の呼の状態が呼が確立される前のガイダンス中状態や切断中状態の場合、ハンドオーバ不可と判定すればよい。
【００５３】
ここで、音声ガイダンスとしては、呼が確立する前の状態で送出されるガイダンス（例えば発信先移動端末機が圏外にある場合に送出される圏外トーキなど）、呼が確立された後の状態で送出されるガイダンス（例えば迷惑電話からの着信を拒否する場合に送出される迷惑電話ガイダンスなど）の双方を含む。また、留守番電話サービスのガイダンスは、例えば、呼が確立する前の状態で送出されるガイダンスと呼が確立された後の状態で送出されるガイダンスとの双方から構成される。なお、呼が確立された後の状態でガイダンスが送出される際の動作は、通話中と同様に、通常のＳＲＶＣＣを起動可能である。このため、本変形例１では、呼が確立された後のガイダンス中状態は通話中状態に含む。また、呼が確立された後のガイダンス中状態は通話中状態に含まずに、呼が確立される前のガイダンス中状態と同様にハンドオーバ判定部２４０によってハンドオーバ不可と判定されるようにしてもよい。
【００５４】
なお、本変形例１は、移動端末機３０がａＳＲＶＣＣ非対応の端末機である場合についての例であり、移動端末機３０の呼の状態が呼が確立される前のガイダンス中状態や切断中状態の場合に、ハンドオーバ判定部２４０がハンドオーバ不可と判定する動作を一例として記載したが、ハンドオーバ不可と判定する動作以外の他の動作が規定されてもよい。移動端末機３０の呼の状態が呼が確立される前のガイダンス中状態や切断中状態である場合の移動端末機３０の動作をどのように規定するかは、その移動端末機３０の能力とネットワークの実装次第である。
【００５５】
（変形例２）
第１の実施形態では、移動端末機３０は、その呼の状態が呼び出し中状態でもハンドオーバが可能なａＳＲＶＣＣ対応の端末機であるものとして説明し、変形例１では、移動端末機３０は、ａＳＲＶＣＣ非対応の端末機であるものとして説明したが、ｂＳＲＶＣＣ対応の端末機についても同様に説明できる。本変形例２では、移動端末機３０は、その呼の状態が呼が確立する前の状態で送出されるガイダンス中状態でもハンドオーバが可能なｂＳＲＶＣＣ対応の端末機であるものとして説明する。なお、本変形例２におけるｂＳＲＶＣＣ対応の端末機とは、上述したＳＲＶＣＣおよびａＳＲＶＣＣ、ならびに非特許文献３および４のリリース１２以降で規定されたｂＳＲＶＣＣに対応の端末機を示す。
【００５６】
移動端末機３０がｂＳＲＶＣＣ対応の端末機の場合は、発信中状態においては図５の時点t０と同様の処理を行う。呼が確立される前のガイダンス中状態、呼び出し中状態および通話中状態（呼が確立された後のガイダンス中状態を含む）においては、図５の時点ｔ４と同様の処理を行う。ここで、呼が確立される前のガイダンス中状態での動作はｂＳＲＶＣＣとして起動可能であり、呼び出し中状態での動作はａＳＲＶＣＣとして起動可能であり、通話中状態（呼が確立された後のガイダンス中状態を含む）での動作はＳＲＶＣＣとして起動可能である。
【００５７】
図５において、時点t４の「呼び出し中」を「呼が確立される前のガイダンス中」と読み替えて本変形例２の構成を説明する。図５の時点ｔ６で、ハンドオーバ要求１３２に基づくＳＲＶＣＣ要求を受信すると、ハンドオーバ判定部２４０は、移動端末機３０の音声呼の状態が呼が確立される前のガイダンス中状態であるので、ハンドオーバ可能と判定する（図２のステップＳ２０８）。この場合、呼が確立される前の状態で送出されるガイダンス中状態での動作であるため、ハンドオーバ可能と判定後の動作はｂＳＲＶＣＣとして起動可能である。時点ｔ７以降は、第１の実施形態と同様である。
【００５８】
また、移動端末機３０の呼の状態として切断中状態を含めてもよい。本変形例２で説明するｂＳＲＶＣＣ対応の移動端末機３０は、切断中状態のハンドオーバに対応していない。このため、ハンドオーバ判定部２４０は、移動端末機３０の呼の状態が切断中状態の場合、ハンドオーバ不可と判定すればよい。
なお、本変形例２は、移動端末機３０がｂＳＲＶＣＣ対応の端末機である場合についての例であり、移動端末機３０の呼の状態が切断中状態の場合に、ハンドオーバ判定部２４０がハンドオーバ不可と判定する動作を一例として記載したが、ハンドオーバ不可と判定する動作以外の他の動作が規定されてもよい。移動端末機３０の呼の状態が切断中状態である場合の移動端末機３０のその他の動作については、変形例１と同様である。
【００５９】
（第２の実施形態）
第２の実施形態に係るハンドオーバ判定装置及びハンドオーバ制御装置の構成について、第１の実施形態に係るハンドオーバ判定装置２００及びハンドオーバ制御装置１００の構成と異なる点を、図６を参照して説明する。第２の実施形態に係るハンドオーバ判定装置２０００及びハンドオーバ制御装置１０００は、図１（Ａ）のハンドオーバ判定装置２００及びハンドオーバ制御装置１００を置き換えるものである。ハンドオーバ制御装置１０００は、図１（Ａ）のハンドオーバ制御装置１００にハンドオーバ要求送信制限部１７０がさらに含まれ構成される。また、ハンドオーバ判定装置２０００は、図１（Ａ）のハンドオーバ判定装置２００のコマンド送信部２５０がコマンド送信部２５００に置き換わり構成される。また、ハンドオーバ判定装置２０００及びハンドオーバ制御装置１０００は、ハンドオーバ抑止コマンド２７２とハンドオーバ抑止解除コマンド２８２とがさらに含まれ構成される。
【００６０】
図６は、第２の実施形態に係るハンドオーバ判定装置２０００及びハンドオーバ制御装置１０００の構成を示す構成図である。
基地局機器４０は、ハンドオーバ制御装置１０００を含んでいる。ＩＭＳネットワーク５０は、ハンドオーバ判定装置２０００を含んでいる。
ハンドオーバ制御装置１０００は、無線品質情報受信部１１０と、無線品質判定部１２０と、ハンドオーバ要求送信部１３０と、コマンド受信部１４０と、ハンドオーバ応答部１５０と、ハンドオーバ拒否部１６０と、ハンドオーバ要求送信制限部１７０と、を含んでいる。
【００６１】
ハンドオーバ判定装置２０００は、ハンドオーバ要求受信部２１０と、呼状態取得部２２０と、移動端末機情報取得部２３０と、ハンドオーバ判定部２４０と、コマンド送信部２５００と、を含んでいる。
コマンド送信部２５００は、ハンドオーバ判定部２４０がハンドオーバ可能と判定した場合、ハンドオーバ制御装置１０００にハンドオーバを実施させるためのＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１０００のコマンド受信部１４０に送信する。
【００６２】
また、コマンド送信部２５００は、ハンドオーバ判定部２４０がハンドオーバ不可と判定した場合、ハンドオーバ制御装置１０００にハンドオーバを実施させないためのＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１０００のコマンド受信部１４０に送信する。
さらに、コマンド送信部２５００は、ハンドオーバ判定部２４０がハンドオーバ不可と判定した場合、ハンドオーバ制御装置１０００にハンドオーバ要求１３２の送信を抑止させるためのＳＲＶＣＣ抑止をＭＳＣ  Ｓｅｒｖｅｒ４４経由でＭＭＥ４２に送信する。ＭＭＥ４２は、ＳＲＶＣＣ抑止に基づくハンドオーバ抑止コマンド２７２をハンドオーバ拒否コマンド２６２に付加してハンドオーバ制御装置１０００のコマンド受信部１４０に送信する。
【００６３】
また、コマンド送信部２５００は、ハンドオーバ抑止コマンド２７２をハンドオーバ制御装置１０００に送信したら、ハンドオーバ判定部２４０の判定がハンドオーバ可能に遷移するまで待機する。ハンドオーバ判定部２４０がハンドオーバ可能と判定した場合、ハンドオーバ制御装置１０００にハンドオーバ要求の送信の抑止を解除させるためのＳＲＶＣＣ抑止解除をＭＳＣ  Ｓｅｒｖｅｒ４４経由でＭＭＥ４２に送信する。ＭＭＥ４２は、ＳＲＶＣＣ抑止解除に基づくハンドオーバ抑止解除コマンド２８２をハンドオーバ制御装置１０００のコマンド受信部１４０に送信する。
【００６４】
ハンドオーバ制御装置１０００のコマンド受信部１４０は、ハンドオーバ判定装置２０００のコマンド送信部２５００が送信してくるハンドオーバ応答コマンド２５２と、ハンドオーバ拒否コマンド２６２と、ハンドオーバ抑止コマンド２７２と、ハンドオーバ抑止解除コマンド２８２と、を受信する。
ハンドオーバ要求送信制限部１７０は、コマンド受信部１４０が受信したコマンドにハンドオーバ抑止コマンド２７２が含まれている場合は、ハンドオーバ要求送信部１３０を動作させない。
さらに、ハンドオーバ要求送信制限部１７０は、コマンド受信部１４０が受信したコマンドにハンドオーバ抑止解除コマンド２８２が含まれている場合は、ハンドオーバ要求送信部１３０を動作させる。
【００６５】
＜ハンドオーバ判定装置２０００の動作＞
第２の実施形態に係るハンドオーバ判定装置２０００の動作について、図７を参照して説明する。図７は、第２の実施形態に係るハンドオーバ判定装置２０００の動作を示す流れ図である。なお、以下では、ＳＲＶＣＣおよび呼の状態が呼び出し中状態でもハンドオーバが可能なａＳＲＶＣＣ対応の端末機である移動端末機３０が音声呼を取得し（音声通話を行い）、音声呼の状態と移動端末機情報とに基づき、ハンドオーバ可能か否かを判定する場合について説明する。
図７に示すように、先ず、ステップＳ２００２では、ハンドオーバ要求受信部２１０が、ハンドオーバ要求送信部１３０から送信されたハンドオーバ要求１３２に基づくＳＲＶＣＣ要求を受信するまで待機し、ハンドオーバ要求１３２に基づくＳＲＶＣＣ要求を受信したらステップＳ２００４に移行する。
【００６６】
ステップＳ２００４では、移動端末機情報取得部２３０が、移動端末機３０がその音声呼の状態が呼び出し中状態でもハンドオーバが可能なａＳＲＶＣＣ対応の端末機であるか否かの移動端末機情報を移動端末機情報管理装置８０から取得する。その後、処理をステップＳ２００６に移行する。なお、移動端末機情報取得部２３０が、移動端末機３０の移動端末機情報を移動端末機情報管理装置８０から既に取得している場合は、ステップＳ２００４の処理は行わなくてもよい。
ステップＳ２００６では、呼状態取得部２２０が、移動端末機３０の音声呼の状態が、発信中状態か呼び出し中状態か着信中状態か通話中状態か割込通話中状態かの何れの状態にあるかを、移動端末機３０の音声呼の状態を監視している呼制御装置７０から取得する。その後、処理をステップＳ２００８に移行する。
【００６７】
ステップＳ２００８では、ハンドオーバ判定部２４０を実行する。その後、処理をステップＳ２０１０に移行する。
ステップＳ２０１０では、ハンドオーバ判定部２４０がハンドオーバ可能と判定した場合はステップＳ２０１２に移行する。一方、ステップＳ２０１０において、ハンドオーバ判定部２４０がハンドオーバ不可と判定した場合はステップＳ２０１４に移行する。
ステップＳ２０１２では、コマンド送信部２５００を実行することにより、ＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１０００のコマンド受信部１４０に送信する。その後、処理をステップＳ２００２に移行する。
【００６８】
一方、ステップＳ２０１４では、コマンド送信部２５００を実行することにより、ＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１０００のコマンド受信部１４０に送信する。その後、処理をステップＳ２０１６に移行する。
ステップＳ２０１６では、コマンド送信部２５００を実行することにより、ＳＲＶＣＣ抑止をＭＳＣ  Ｓｅｒｖｅｒ４４経由でＭＭＥ４２に送信する。ＭＭＥ４２は、ＳＲＶＣＣ抑止に基づくハンドオーバ抑止コマンド２７２をハンドオーバ制御装置１０００のコマンド受信部１４０に送信する。その後、処理をステップＳ２０１８に移行する。
【００６９】
ステップＳ２０１８では、呼状態取得部２２０が、移動端末機３０の音声呼の状態が、発信中状態か呼び出し中状態か着信中状態か通話中状態か割込通話中状態かの何れの状態にあるかを、移動端末機３０の音声呼の状態を監視している呼制御装置７０から取得する。その後、処理をステップＳ２０２０に移行する。
ステップＳ２０２０では、ハンドオーバ判定部２４０を実行する。その後、処理をステップＳ２０２２に移行する。
【００７０】
ステップＳ２０２２では、ハンドオーバ判定部２４０がハンドオーバ可能と判定した場合はステップＳ２０２４に移行する。一方、ステップＳ２０２２において、ハンドオーバ判定部２４０がハンドオーバ不可と判定した場合はステップＳ２０１８に移行する。
ステップＳ２０２４では、コマンド送信部２５００を実行することにより、ＳＲＶＣＣ抑止解除をＭＳＣ  Ｓｅｒｖｅｒ４４経由でＭＭＥ４２に送信する。ＭＭＥ４２は、ＳＲＶＣＣ抑止解除に基づくハンドオーバ抑止解除コマンド２８２をハンドオーバ制御装置１０００のコマンド受信部１４０に送信する。その後、処理をステップＳ２００２に移行する。
【００７１】
＜ハンドオーバ制御装置１０００の動作＞
第２の実施形態に係るハンドオーバ制御装置１０００の動作について、図８を参照して説明する。図８は、第２の実施形態に係るハンドオーバ制御装置１０００の動作を示す流れ図である。
図８に示すように、先ず、ステップＳ１００２では、無線品質情報受信部１１０が無線品質情報３２を受信するまで待機し、受信したらステップＳ１００４に移行する。
ステップＳ１００４では、無線品質判定部１２０が、無線品質情報３２に基づき、移動端末機３０の無線品質が劣化しているか否かを判定し、無線品質が劣化している場合はステップＳ１００６に移行する。一方、ステップＳ１００４において、無線品質が劣化していない場合はステップＳ１００２に移行する。
【００７２】
ステップＳ１００６では、ハンドオーバ要求送信部１３０が、ハンドオーバ要求１３２をＭＭＥ４２に送信する。ＭＭＥ４２は、ＭＳＣ  Ｓｅｒｖｅｒ４４経由でＳＲＶＣＣ要求をハンドオーバ要求受信部２１０に送信する。その後、処理をステップＳ１００８に移行する。
ステップＳ１００８では、コマンド受信部１４０がコマンドを受信するまで待機し、コマンドを受信したらステップＳ１０１０に移行する。
ステップＳ１０１０では、コマンド受信部１４０が受信したコマンドがハンドオーバ応答コマンド２５２であるか否か判定し、ハンドオーバ応答コマンド２５２である場合はステップＳ１０１２に移行する。一方、ステップＳ１０１０において、ハンドオーバ応答コマンド２５２ではない場合はステップＳ１０１４に移行する。
【００７３】
ステップＳ１０１２では、ハンドオーバ応答部１５０を実行し、移動端末機３０にハンドオーバ指示１５２を送信する。その後、処理をステップＳ１００２に移行する。
一方、ステップＳ１０１４では、コマンド受信部１４０が受信したコマンドがハンドオーバ抑止コマンド２７２であるか否か判定し、ハンドオーバ抑止コマンド２７２である場合はステップＳ１００８に移行する（つまり、ハンドオーバ要求送信部１３０を動作させない）。一方、ステップＳ１０１４において、ハンドオーバ抑止コマンド２７２ではない場合はステップＳ１０１６に移行する。
【００７４】
さらに、ステップＳ１０１６では、コマンド受信部１４０が受信したコマンドがハンドオーバ抑止解除コマンド２８２であるか否か判定し、ハンドオーバ抑止解除コマンド２８２である場合はステップＳ１００２に移行する（つまり、ハンドオーバ要求送信部１３０を動作させる）。一方、ステップＳ１０１６において、ハンドオーバ抑止解除コマンド２８２ではない（つまり、ハンドオーバ拒否コマンド２６２である）場合はステップＳ１０１８に移行する。
一方、ステップＳ１０１８では、ハンドオーバ拒否部１６０を実行し、移動端末機３０にハンドオーバを実施させるためのハンドオーバ指示１５２を送信しない。その後、処理をステップＳ１００２に移行する。
なお、ステップＳ１０１４とステップＳ１０１６の動作が、ハンドオーバ要求送信制限部１７０の動作である。
【００７５】
＜ハンドオーバ判定装置２０００及びハンドオーバ制御装置１０００の動作＞
第２の実施形態に係るハンドオーバ制御装置１０００の動作について、図９及び図７，８を参照して説明する。図９は、第２の実施形態に係るハンドオーバ判定装置２０００及びハンドオーバ制御装置１０００の動作を示すシーケンス図である。
【００７６】
＜発信中状態の動作＞
移動端末機３０は、呼の状態が呼び出し中状態でもハンドオーバが可能なａＳＲＶＣＣ対応の移動端末機であり、ＬＴＥ網１０のサービスエリアの境界付近かつ３Ｇ網２０のサービスエリアの中にいるものとし（図１（Ｂ）参照）、ＬＴＥ網１０の基地局機器４０と通信しているものとして説明する。図９では、移動端末機３０は、時点ｔ０において、音声通話のためのベアラ（bearer）が確立される前の状態（発信前）とする。なお、以下では、移動端末機３０が音声呼を取得し（音声通話を行い）、音声呼の状態と移動端末機情報とに基づき、ハンドオーバ可能か否かを判定する場合について説明する。
【００７７】
移動端末機３０を持ったユーザが発信操作することにより、相手側移動端末機と音声通話をするための発信が開始される。発信を開始するとともに、移動端末機３０を持ったユーザがＬＴＥ網１０から３Ｇ網２０のサービスエリア付近（図１（Ｂ）参照）に移動したとする。移動端末機３０は、ＬＴＥ網１０の端部付近に移動したため、ＬＴＥ網１０からの無線品質が劣化してくる。そのため、時点ｔ１で、移動端末機３０は、現在の無線品質が基地局機器４０から指定された無線品質の閾値を下回ったことを示す無線品質情報３２を基地局機器４０に送信する。
【００７８】
基地局機器４０に含まれるハンドオーバ制御装置１０００の無線品質情報受信部１１０は、無線品質情報３２を受信する（図８のステップＳ１００２）。次に、無線品質判定部１２０は、無線品質情報３２に基づき、移動端末機３０の無線品質が劣化していると判定する（図８のステップＳ１００４）。
時点ｔ２で、ハンドオーバ要求送信部１３０は、ハンドオーバ要求１３２をＭＭＥ４２に送信する。ＭＭＥ４２は、ＭＳＣ  Ｓｅｒｖｅｒ４４経由でＳＲＶＣＣ要求をハンドオーバ要求受信部２１０に送信する（図８のステップＳ１００６）。
ハンドオーバ要求受信部２１０は、ハンドオーバ要求１３２に基づくＳＲＶＣＣ要求を受信する（図７のステップＳ２００２）。
【００７９】
移動端末機情報取得部２３０は、移動端末機３０がその音声呼の状態が呼び出し中状態でもハンドオーバが可能なａＳＲＶＣＣ対応の端末機であるか否かの移動端末機情報を移動端末機情報管理装置８０から取得する（図７のステップＳ２００４）。また、呼状態取得部２２０は、移動端末機３０の音声呼の状態が発信中状態であることを取得する（図７のステップＳ２００６）。ハンドオーバ判定部２４０は、移動端末機３０の音声呼の状態が発信中状態であるので、ハンドオーバ不可と判定する（図７のステップＳ２００８）。
【００８０】
時点ｔ３で、コマンド送信部２５００を実行することにより、ＳＲＶＣＣ拒否をＭＳＣ  Ｓｅｒｖｅｒ４４経由でＭＭＥ４２に送信する。ＭＭＥ４２は、ＳＲＶＣＣ拒否に基づくハンドオーバ拒否コマンド２６２をハンドオーバ制御装置１０００のコマンド受信部１４０に送信する（図７のステップＳ２０１４）。さらに、コマンド送信部２５００を実行することにより、ＳＲＶＣＣ抑止をＭＳＣ  Ｓｅｒｖｅｒ４４経由でＭＭＥ４２に送信する。ＭＭＥ４２は、ＳＲＶＣＣ抑止に基づくハンドオーバ抑止コマンド２７２をハンドオーバ制御装置１０００のコマンド受信部１４０に送信する（図７のステップＳ２０１６）。ハンドオーバ判定装置２０００は、ハンドオーバ抑止コマンド２７２をＳＲＶＣＣ抑止を介して送信後、呼状態取得部２２０により移動端末機３０の音声呼の状態を監視し、ハンドオーバ判定部２４０がハンドオーバ可能と判定するまで待機する（図７のステップＳ２０１８〜Ｓ２０２２）。
【００８１】
ハンドオーバ制御装置１０００は、ハンドオーバ抑止コマンド２７２を受信したので（図８のステップＳ１０１４）、ハンドオーバ判定装置２０００からのコマンド（ハンドオーバ抑止解除コマンド２８２）を受信するまで待機する（図８のステップＳ１００８）。
次に、時点ｔ４で、移動端末機３０は、現在の無線品質が基地局機器４０から指定された無線品質の閾値を下回っていることを示す無線品質情報３２を基地局機器４０に送信する。しかしながら、ハンドオーバ制御装置１０００は、ハンドオーバ判定装置２０００からのコマンド（ハンドオーバ抑止解除コマンド２８２）を受信するまでハンドオーバ要求送信部１３０は動作しないので、ハンドオーバ要求１３２の送信は抑止されている。
【００８２】
＜呼び出し中状態の動作＞
時点ｔ５で、移動端末機３０の音声呼の状態が呼び出し中状態に遷移する。ハンドオーバ判定装置２０００は、移動端末機３０の音声呼の状態が呼び出し中状態に遷移したので、ハンドオーバ判定部２４０がハンドオーバ可能と判定する（図７のステップＳ２０２２）。
時点ｔ６で、ハンドオーバ判定装置２０００は、ＳＲＶＣＣ抑止解除をＭＳＣ  Ｓｅｒｖｅｒ４４経由でＭＭＥ４２に送信する。ＭＭＥ４２は、ＳＲＶＣＣ抑止解除に基づくハンドオーバ抑止解除コマンド２８２をハンドオーバ制御装置１０００のコマンド受信部１４０に送信する（図７のステップＳ２０２４）。ハンドオーバ制御装置１０００は、ハンドオーバ抑止解除コマンド２８２を受信したので（図８のステップＳ１０１６）、ハンドオーバ要求送信部１３０は動作するようになり、ハンドオーバ要求１３２の送信の抑止が解除される。
【００８３】
時点ｔ７で、移動端末機３０は、現在の無線品質が基地局機器４０から指定された無線品質の閾値を下回っていることを示す無線品質情報３２を基地局機器４０に送信する。
ハンドオーバ制御装置１０００の無線品質情報受信部１１０は、無線品質情報３２を受信する（図８のステップＳ１００２）。次に、無線品質判定部１２０は、無線品質情報３２に基づき、移動端末機３０の無線品質が劣化していると判定する（図８のステップＳ１００４）。
【００８４】
時点ｔ８で、ハンドオーバ要求送信部１３０は、ハンドオーバ要求１３２をＭＭＥ４２に送信する。ＭＭＥ４２は、ＭＳＣ  Ｓｅｒｖｅｒ４４経由でＳＲＶＣＣ要求をハンドオーバ要求受信部２１０に送信する（図８のステップＳ１００６）。次に、ハンドオーバ要求受信部２１０は、ハンドオーバ要求１３２に基づくＳＲＶＣＣ要求を受信する（図７のステップＳ２００２）。呼状態取得部２２０は、移動端末機３０の音声呼の状態が呼び出し中状態であることを取得する（図７のステップＳ２００６）。ハンドオーバ判定部２４０は、移動端末機３０の音声呼の状態が呼び出し中状態で移動端末機３０の移動端末機情報がａＳＲＶＣＣ対応の端末機であるので、ハンドオーバ可能と判定する（図７のステップＳ２００８）。
【００８５】
時点ｔ９で、コマンド送信部２５００を実行することにより、ＳＲＶＣＣ応答をＭＳＣ  Ｓｅｒｖｅｒ４４経由でＭＭＥ４２に送信する。ＭＭＥ４２は、ＳＲＶＣＣ応答に基づくハンドオーバ応答コマンド２５２をハンドオーバ制御装置１０００のコマンド受信部１４０に送信する（図７のステップＳ２０１２）。
時点ｔ１０で、ハンドオーバ制御装置１００は、ハンドオーバ応答部１５０を実行し、移動端末機３０にハンドオーバを実施させるためのハンドオーバ指示１５２を送信する（図８のステップＳ１０１２）。
時点ｔ１１で、移動端末機３０は、ハンドオーバを実行する。移動端末機３０は、ＬＴＥ網１０から３Ｇ網２０にハンドオーバされ（図１（Ｂ）参照）、時点ｔ１２で３Ｇネットワーク６０による通話中状態に切り替わったことを示している。つまり、ＳＲＶＣＣが動作したことを示している。
【００８６】
以上に述べた第２の実施形態によれば、以下の効果が得られる。
第２の実施形態では、移動端末機の呼の状態と、移動端末機の呼の状態が呼び出し中状態でもハンドオーバが可能な移動端末機であるか否かの移動端末機情報と、ハンドオーバができるか否かを判定するハンドオーバ判定装置からのコマンドに基づきハンドオーバを制御でき、ハンドオーバができない期間はハンドオーバ判定装置からのコマンドに基づきハンドオーバ要求の送信を抑止することができるので、ＳＲＶＣＣの規定に対応していない呼の状態で移動端末機３０をハンドオーバさせてしまうことによる移動端末機３０の呼切断と、移動端末機３０とＩＭＳネットワーク５０との間の状態不一致を防ぐことができ、さらに不要なハンドオーバ要求１３２の送信を抑止させることにより、基地局機器４０とＩＭＳネットワーク５０間の無駄なトラヒックを削減することができる。
【００８７】
（変形例３）
第２の実施形態では、移動端末機３０は、その呼の状態が呼び出し中状態でもハンドオーバが可能なａＳＲＶＣＣ対応の端末機であるものとして説明したが、ａＳＲＶＣＣ非対応の端末機についても同様に説明できる。なお、本変形例３におけるａＳＲＶＣＣ非対応の端末機とは、本変形例１と同様に、ＳＲＶＣＣには対応しているがａＳＲＶＣＣには非対応の端末機を示す。移動端末機３０がａＳＲＶＣＣ非対応の端末機の場合は、発信中状態および呼び出し中状態においては、図９の時点t０と同様の処理を行う。通話中状態（呼が確立された後のガイダンス中状態を含む）においては、図９の時点ｔ５と同様の処理を行う。
【００８８】
図９において、時点ｔ５の「呼び出し中」を「音声通話中」と読み替えて本変形例３の構成を説明する。図９の時点ｔ８で、ハンドオーバ要求１３２に基づくＳＲＶＣＣ要求を受信すると、ハンドオーバ判定部２４０は、移動端末機３０の音声呼の状態が通話中状態であるので、ハンドオーバ可能と判定する（図７のステップＳ２００８）。時点ｔ８以降は、第２の実施形態と同様である。
また、移動端末機３０の音声呼の状態が、発信中状態か呼び出し中状態か着信中状態か通話中状態か割込通話中状態かの何れかの状態として説明したが、音声ガイダンスに繋がったガイダンス中状態や切断中状態を含めてもよい。なお、本変形例３で説明するａＳＲＶＣＣ非対応の移動端末機３０は、呼が確立される前のガイダンス中状態や切断中状態のハンドオーバに対応していない。このため、ハンドオーバ判定部２４０は、移動端末機３０の呼の状態が呼が確立される前のガイダンス中状態や切断中状態の場合、ハンドオーバ不可と判定すればよい。また、この場合、変形例１と同様に、ハンドオーバ判定部２４０がハンドオーバ不可と判定する動作以外の他の動作が規定されてもよい。
【００８９】
（変形例４）
第２の実施形態では、移動端末機３０は、その呼の状態が呼び出し中状態でもハンドオーバが可能なａＳＲＶＣＣ対応の端末機であるものとして説明し、変形例３では、移動端末機３０は、ａＳＲＶＣＣ非対応の端末機であるものとして説明したが、ｂＳＲＶＣＣ対応の端末機についても同様に説明できる。本変形例４では、移動端末機３０は、その呼の状態が呼が確立する前の状態で送出されるガイダンス中状態でもハンドオーバが可能なｂＳＲＶＣＣ対応の端末機であるものとして説明する。なお、本変形例４におけるｂＳＲＶＣＣ対応の端末機とは、ＳＲＶＣＣ、ａＳＲＶＣＣ、およびｂＳＲＶＣＣに対応の端末機を示す。
【００９０】
移動端末機３０がｂＳＲＶＣＣ対応の端末機の場合、発信中状態においては、図９の時点t０と同様の処理を行う。呼が確立される前のガイダンス中状態、呼び出し中状態および通話中状態（呼が確立された後のガイダンス中状態を含む）においては、図９の時点ｔ５と同様の処理を行う。ここで、呼が確立される前のガイダンス中状態での動作はｂＳＲＶＣＣとして起動可能であり、呼び出し中状態での動作はａＳＲＶＣＣとして起動可能であり、通話中状態（呼が確立された後のガイダンス中状態を含む）での動作はＳＲＶＣＣとして起動可能である。
【００９１】
図９において、時点ｔ５の「呼び出し中」を「呼が確立される前のガイダンス中」と読み替えて変形例４の構成を説明する。図９の時点ｔ８で、ハンドオーバ要求１３２に基づくＳＲＶＣＣ要求を受信すると、ハンドオーバ判定部２４０は、移動端末機３０の音声呼の状態が呼が確立される前のガイダンス中状態であるので、ハンドオーバ可能と判定する（図７のステップＳ２００８）。時点ｔ８以降は、第２の実施形態と同様である。
【００９２】
（変形例５）
第１及び第２の実施形態では、図１（Ｂ）に示すように、ＬＴＥ網１０のサービスエリアが３Ｇ網２０のサービスエリアに含まれている場合を説明したが、図１０に示すように、ＬＴＥ網１０のサービスエリアの一部と３Ｇ網２０のサービスエリアの一部とが重なっている場合でもよい。また、第１及び第２の実施形態では、ハンドオーバ制御装置１００または１０００が基地局機器４０にある場合を説明したが、ＭＭＥ４２やＭＳＣ  Ｓｅｒｖｅｒ４４に置くことも可能である。また、第１及び第２の実施形態では、ハンドオーバ判定装置２００または２０００がＩＭＳネットワーク５０にある場合を説明したが、ＭＭＥ４２やＭＳＣ  Ｓｅｒｖｅｒ４４に置くことも可能である。
【００９３】
＜ハンドオーバ判定方法＞
上述したハンドオーバ判定装置では、以下のようなハンドオーバ判定方法が採用されている。すなわち、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定方法であって、前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信工程と、前記ハンドオーバ要求受信工程が前記ハンドオーバ要求または前記ハンドオーバ要求に基づく要求を受信した場合、前記移動端末機の呼の状態を取得する呼状態取得工程と、前記移動端末機が、前記呼の状態において前記ハンドオーバが可能な移動端末機であるか否かの情報を含む移動端末機情報を取得する移動端末機情報取得工程と、前記呼状態取得工程が取得した前記呼の状態と前記移動端末機情報取得工程が取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定工程と、前記ハンドオーバ判定工程がハンドオーバ不可と判定した場合は、前記ハンドオーバ制御装置に前記ハンドオーバを実施させないためのハンドオーバ拒否コマンドを送信し、前記ハンドオーバ判定工程がハンドオーバ可能と判定した場合は、前記ハンドオーバ制御装置に前記ハンドオーバを実施させるためのハンドオーバ応答コマンドを送信するコマンド送信工程と、を含むハンドオーバ判定方法が採用されている。
【００９４】
なお、前記ハンドオーバ判定方法は、前記コマンド送信工程が、さらに、前記ハンドオーバ判定工程がハンドオーバ不可と判定した場合は、前記ハンドオーバ制御装置に前記ハンドオーバ要求の送信を抑止させるためのハンドオーバ抑止コマンドを前記ハンドオーバ拒否コマンドに付加して送信し、前記ハンドオーバ抑止コマンドを前記ハンドオーバ制御装置に送信後、前記ハンドオーバ判定工程がハンドオーバ可能と判定した場合、前記ハンドオーバ制御装置に前記ハンドオーバ要求の送信の抑止を解除させるためのハンドオーバ抑止解除コマンドを送信する、ようにしてもよい。
【００９５】
＜ハンドオーバ制御方法＞
上述したハンドオーバ制御装置では、以下のようなハンドオーバ制御方法が採用されている。すなわち、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御方法であって、前記第１のネットワーク通信網に在圏している前記移動端末機が送信する無線品質情報を受信する無線品質情報受信工程と、前記無線品質情報に基づき前記第１のネットワーク通信網での前記移動端末機の無線品質が劣化しているか否か判定する無線品質判定工程と、前記無線品質判定工程が前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信工程と、前記ハンドオーバ要求送信工程が送信した前記ハンドオーバ要求に対し前記ハンドオーバ判定装置から返信されてくるハンドオーバ応答コマンドを受信するコマンド受信工程と、前記コマンド受信工程が前記ハンドオーバを実施させるための前記ハンドオーバ応答コマンドを受信した場合は前記移動端末機に前記ハンドオーバを実施させるハンドオーバ指示を送るハンドオーバ応答工程と、前記コマンド受信工程が前記ハンドオーバを実施させないためのハンドオーバ拒否コマンドを受信した場合は前記移動端末機に前記ハンドオーバ指示を送信しないハンドオーバ拒否工程と、前記コマンド受信工程が前記ハンドオーバ要求の送信を抑止させるためのハンドオーバ抑止コマンドを受信した場合は前記ハンドオーバ要求送信工程を動作させず、前記コマンド受信工程が前記ハンドオーバ要求の送信の抑止を解除させるためのハンドオーバ抑止解除コマンドを受信した場合は前記ハンドオーバ要求送信工程を動作させるハンドオーバ要求送信制限工程と、を含むハンドオーバ制御方法が採用されている。
【００９６】
＜ハンドオーバ判定プログラム＞
また、ＩＭＳネットワークにおいてプログラムを実行することによって、上述したハンドオーバ判定装置を実現する場合、以下のプログラムを用いることができる。すなわち、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ制御装置から受信するハンドオーバ判定プログラムであって、コンピュータに、前記第１のネットワーク通信網で音声通話またはビデオ通話による通話中に前記移動端末機の無線品質の劣化を検出した場合に、前記移動端末機を前記第１のネットワーク通信網から前記第２のネットワーク通信網にハンドオーバさせて通話を継続させるためのハンドオーバ要求または前記ハンドオーバ要求に基づく要求を前記ハンドオーバ制御装置から受信するハンドオーバ要求受信ステップと、前記ハンドオーバ要求受信ステップが前記ハンドオーバ要求または前記ハンドオーバ要求に基づく要求を受信した場合、前記移動端末機の呼の状態を取得する呼状態取得ステップと、前記移動端末機が、前記呼の状態において前記ハンドオーバが可能な移動端末機であるか否かの情報を含む移動端末機情報を取得する移動端末機情報取得ステップと、前記呼状態取得ステップが取得した前記呼の状態と前記移動端末機情報取得ステップが取得した前記移動端末機情報とに基づき、前記呼の状態において前記ハンドオーバが可能な移動端末機ではない場合は、ハンドオーバ不可と判定し、前記呼の状態において前記ハンドオーバが可能な移動端末機である場合は、ハンドオーバ可能と判定するハンドオーバ判定ステップと、前記ハンドオーバ判定ステップがハンドオーバ不可と判定した場合は、前記ハンドオーバ制御装置に前記ハンドオーバを実施させないためのハンドオーバ拒否コマンドを送信し、前記ハンドオーバ判定ステップがハンドオーバ可能と判定した場合は、前記ハンドオーバ制御装置に前記ハンドオーバを実施させるためのハンドオーバ応答コマンドを送信するコマンド送信ステップと、を実行させるハンドオーバ判定プログラムを用いることができる。
【００９７】
なお、前記コマンド送信ステップは、さらに、前記ハンドオーバ判定ステップがハンドオーバ不可と判定した場合は、前記ハンドオーバ制御装置に前記ハンドオーバ要求の送信を抑止させるためのハンドオーバ抑止コマンドを前記ハンドオーバ拒否コマンドに付加して送信し、前記ハンドオーバ抑止コマンドを前記ハンドオーバ制御装置に送信後、前記ハンドオーバ判定ステップがハンドオーバ可能と判定した場合、前記ハンドオーバ制御装置に前記ハンドオーバ要求の送信の抑止を解除させるためのハンドオーバ抑止解除コマンドを送信する、ようにしてもよい。
【００９８】
＜ハンドオーバ制御プログラム＞
また、基地局機器においてプログラムを実行することによって、上述したハンドオーバ制御装置を実現する場合、以下のプログラムを用いることができる。すなわち、第１のネットワーク通信網と前記第１のネットワーク通信網と共通のサービスエリアを有する第２のネットワーク通信網とで音声通話またはビデオ通話による通話が可能な移動端末機をハンドオーバさせる要求をハンドオーバ判定装置に送信するハンドオーバ制御プログラムであって、コンピュータに、前記第１のネットワーク通信網に在圏している前記移動端末機が送信する無線品質情報を受信する無線品質情報受信ステップと、前記無線品質情報に基づき前記第１のネットワーク通信網での前記移動端末機の無線品質が劣化しているか否か判定する無線品質判定ステップと、前記無線品質判定ステップが前記移動端末機の無線品質が劣化したと判定した場合、前記移動端末機を前記第１のネットワーク通信網から前記第２のネットワーク通信網にハンドオーバさせて通話を継続させるためのハンドオーバ要求を前記ハンドオーバ判定装置に送信するハンドオーバ要求送信ステップと、前記ハンドオーバ要求送信ステップが送信した前記ハンドオーバ要求に対し前記ハンドオーバ判定装置から返信されてくるハンドオーバ応答コマンドを受信するコマンド受信ステップと、前記コマンド受信ステップが前記ハンドオーバを実施させるための前記ハンドオーバ応答コマンドを受信した場合は前記移動端末機に前記ハンドオーバを実施させるハンドオーバ指示を送るハンドオーバ応答ステップと、前記コマンド受信ステップが前記ハンドオーバを実施させないためのハンドオーバ拒否コマンドを受信した場合は前記移動端末機に前記ハンドオーバ指示を送信しないハンドオーバ拒否ステップと、前記コマンド受信ステップが前記ハンドオーバ要求の送信を抑止させるためのハンドオーバ抑止コマンドを受信した場合は前記ハンドオーバ要求送信ステップを動作させず、前記コマンド受信ステップが前記ハンドオーバ要求の送信の抑止を解除させるためのハンドオーバ抑止解除コマンドを受信した場合は前記ハンドオーバ要求送信ステップを動作させるハンドオーバ要求送信制限ステップと、を実行させるハンドオーバ制御プログラムを用いることができる。
【００９９】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【０１００】
本発明は、呼の状態がＳＲＶＣＣの規定に対応していない場合に移動端末機をハンドオーバさせてしまうことによる移動端末機の呼切断と、移動端末機とＩＭＳネットワークとの間の状態不一致を防ぐことができ、さらに不要なハンドオーバ要求の送信を抑止させることにより、基地局機器とＩＭＳネットワークとの間の無駄なトラヒックを削減する場合に利用することができる。
【符号の説明】
【０１０１】
１０  ＬＴＥ網
２０  ３Ｇ網
３０  移動端末機
３２  無線品質情報
４０  基地局機器
５０  ＩＭＳネットワーク
６０  ３Ｇネットワーク
７０  呼制御装置
８０  移動端末機情報管理装置
１００  ハンドオーバ制御装置
１１０  無線品質情報受信部
１２０  無線品質判定部
１３０  ハンドオーバ要求送信部
１３２  ハンドオーバ要求
１４０  コマンド受信部
１５０  ハンドオーバ応答部
１５２  ハンドオーバ指示
１６０  ハンドオーバ拒否部
１７０  ハンドオーバ要求送信制限部
２００  ハンドオーバ判定装置
２１０  ハンドオーバ要求受信部
２２０  呼状態取得部
２３０  移動端末機情報取得部
２４０  ハンドオーバ判定部
２５０  コマンド送信部
２５２  ハンドオーバ応答コマンド
２６２  ハンドオーバ拒否コマンド
２７２  ハンドオーバ抑止コマンド
２８２  ハンドオーバ抑止解除コマンド
１０００  ハンドオーバ制御装置
２０００  ハンドオーバ判定装置
２５００  コマンド送信部
【図１】
2014057691.tif 000003
【図２】
2014057691.tif 000004
【図３】
2014057691.tif 000005
【図４】
2014057691.tif 000006
【図５】
2014057691.tif 000007
【図６】
2014057691.tif 000008
【図７】
2014057691.tif 000009
【図８】
2014057691.tif 000010
【図９】
2014057691.tif 000011
【図１０】
2014057691.tif 000012
【図１１】
2014057691.tif 000013
【国際調査報告】
2014057691.tif 000014
2014057691.tif 000015